(57)【特許請求の範囲】
【請求項１】
遊技者に対して払い出されるパチンコ玉を一時的に貯留し、かつ排出のできる玉受皿を備えたパチンコ機に対応して設けられ、その玉受皿から排出されるパチンコ玉を玉受部で受けて計数した後、パチンコ島台内に返却するパチンコ玉の返却装置において、
前記パチンコ島台には、前記パチンコ機の下方位置に、前記玉受部を出没させるための開口が形成されており、
前記玉受部を、前記パチンコ島台内に収納された収納位置と、前記パチンコ島台から突出した前記玉受皿の下方位置との間で前後移動させる前後移動手段と、
前記玉受部を、前記下方位置と、該下方位置よりも上方の前記玉受皿に接近した上昇位置との間で昇降移動させる昇降移動手段と、
前記パチンコ機において予め定められた計数条件が成立したことに基づいて、前記収納位置にある玉受部を前記前後移動手段により前記下方位置まで移動させた後、前記昇降移動手段により前記上昇位置まで上昇させる移動制御手段と、
を備え、
前記玉受部の下面後部には、該玉受部が前記上昇位置に位置したときに、前記パチンコ島台に形成された開口を閉塞するための覆い板が下方に向けて垂設されていることを特徴とするパチンコ玉の返却装置。
【請求項２】
前記移動制御手段は、前記パチンコ機において特賞状態が発生したことに基づいて、前記玉受部の移動を開始させる請求項１に記載のパチンコ玉の返却装置。
【請求項３】
前記パチンコ機の玉受皿内所定箇所にパチンコ玉の検知センサが設けられ、
前記移動制御手段は、少なくとも該パチンコ玉の検知センサによりパチンコ玉が検知されたことに基づいて、前記玉受部の移動を開始させる請求項１に記載のパチンコ玉の返却装置。
【請求項４】
前記移動制御手段は、前記玉受部を移動させているときに、障害物により前記玉受部の移動が妨げられたことに基づいて、前記玉受部の移動を一時的に停止、もしくは逆方向に移動させる請求項１ないし３のいずれかに記載のパチンコ玉の返却装置。
【請求項５】
パチンコ機又はパチンコ機近傍に、玉受部の移動開始時に、遊技者に対して前記玉受部の移動が行われることを警告音あるいは警告ランプ等により警告できる警告手段が設けられている請求項１ないし４のいずれかに記載のパチンコ玉の返却装置。
【発明の詳細な説明】
【０００１】
【発明の属する技術分野】
本発明は、パチンコ島台に列設されるパチンコ機より遊技者に対して賞球として払い出されるパチンコ玉を計数してパチンコ島台内に返却することができるパチンコ玉の返却装置に関する。
【０００２】
【従来の技術】
従来、パチンコ機より賞球として払い出されるパチンコ玉を計数して、パチンコ島台内に返却することができるパチンコ玉の返却装置としては、例えば特開平６−２０５８７６号公報や、特開平６−５８９８２号公報に開示されたもの等がある。
【０００３】
前記両者のパチンコ玉の返却装置は、各々のパチンコ機の下部に設けられる下皿より落下するパチンコ玉を受ける玉受皿を有してなり、少なくともこの玉受皿が常時各パチンコ機の下皿下方に配設されているものであった。
【０００４】
【発明が解決しようとする課題】
しかしながら、このようなパチンコ玉の返却装置にあっては、少なくとも前記玉受皿がパチンコ機下部に突設される下皿の下方位置に固設されているため、前記玉受皿等が遊技者の足等にぶつかり、邪魔になるといった問題があった。
【０００５】
また、常時前記玉受皿内が外部に対して開放状態にあると、玉受皿内にパチンコ玉以外のゴミや飲物等が故意に又は何らか要因により投入される可能性が多く、使用時に玉詰りが発生したり、玉計数器等の種々の機器に支障をきたす恐れがあった。
【０００６】
本発明は、上記問題点に着目してなされたもので、各パチンコ機より払い出されるパチンコ玉を容易にパチンコ島台に返却できるとともに、遊技者の邪魔になることなく、かつ玉受皿内へのいたずら等を軽減できるパチンコ玉の返却装置を提供することを目的としている。
【０００７】
【課題を解決するための手段】
上記問題を解決するために、本発明のパチンコ玉の返却装置は、
遊技者に対して払い出されるパチンコ玉を一時的に貯留し、かつ排出のできる玉受皿を備えたパチンコ機に対応して設けられ、その玉受皿から排出されるパチンコ玉を玉受部で受けて計数した後、パチンコ島台内に返却するパチンコ玉の返却装置において、
前記パチンコ島台には、前記パチンコ機の下方位置に、前記玉受部を出没させるための開口が形成されており、
前記玉受部を、前記パチンコ島台内に収納された収納位置と、前記パチンコ島台から突出した前記玉受皿の下方位置との間で前後移動させる前後移動手段と、
前記玉受部を、前記下方位置と、該下方位置よりも上方の前記玉受皿に接近した上昇位置との間で昇降移動させる昇降移動手段と、
前記パチンコ機において予め定められた計数条件が成立したことに基づいて、前記収納位置にある玉受部を前記前後移動手段により前記下方位置まで移動させた後、前記昇降移動手段により前記上昇位置まで上昇させる移動制御手段と、
を備え、
前記玉受部の下面後部には、該玉受部が前記上昇位置に位置したときに、前記パチンコ島台に形成された開口を閉塞するための覆い板が下方に向けて垂設されていることを特徴としている。
この特徴によれば、予め定められた計数条件が成立していないときは玉受部がパチンコ島台内に収納されているため、玉受部の管理等を店側で行え、さらに不正行為等を防止し易くなる。また、予め定められた計数条件が成立する（例えば、多量のパチンコ玉の払出が予想される場合や、玉受皿が満される場合等）と、パチンコ島台内に出没可能に設けられている玉受部が上昇位置まで移動されるため、玉箱を別途用意する必要がなく、遊技者は安心してパチンコ機より払い出されるパチンコ玉を貯留もしくはパチンコ島台内に返却することが可能となる。
【０００８】
本発明のパチンコ玉の返却装置の前記移動制御手段は、前記パチンコ機において特賞状態が発生したことに基づいて、前記玉受部の移動を開始させることが好ましい。
このようにすることで、店員は特賞状態の発生時に玉箱を急いで用意する等の作業を省略でき、また遊技者は安心して遊技に集中できる。
【０００９】
本発明のパチンコ玉の返却装置は、
前記パチンコ機の玉受皿内所定箇所にパチンコ玉の検知センサが設けられ、
前記移動制御手段は、少なくとも該パチンコ玉の検知センサによりパチンコ玉が検知されたことに基づいて、前記玉受部の移動を開始させることが好ましい。
このようにすることで、例えばパチンコ機に特賞状態が発生していない時においても玉受皿内のパチンコ玉を排出することが可能となるため、特賞状態等の状況に予め備えることができるとともに、下皿のパチンコ玉を排出することでプレーの中断を防止できる。
【００１１】
本発明のパチンコ玉の返却装置は、
前記移動制御手段は、前記玉受部を移動させているときに、障害物により前記玉受部の移動が妨げられたことに基づいて、前記玉受部の移動を一時的に停止、もしくは逆方向に移動させることが好ましい。
このようにすることで、遊技者が不用意に玉受部に指を挟まれる等の事故を防止することが出来る。
【００１２】
本発明のパチンコ玉の返却装置は、
パチンコ機又はパチンコ機近傍に、玉受部の移動開始時に、遊技者に対して前記玉受部の移動が行われることを警告音あるいは警告ランプ等により警告できる警告手段が設けられていることが好ましい。
このようにすることで、遊技者に対して玉受部の移動が行われることを警告できるため、より効果的に不用意な事故を防止できる。
【００１３】
【発明の実施の形態】
以下、本発明の実施の形態を図面に基づいて説明していくと、まず図１には、本発明の適用されたパチンコ島台１の遊技面が示されており、該パチンコ島台１の遊技面には複数のパチンコ機２が列設されている。前記パチンコ機２は図２、図３にも示されるように、パチンコ島台１のコシ板に相当する下部板３上端に載置される水平板４上に配設されるようになっている。
【００１４】
パチンコ機２の下部前面には、パチンコ機２より賞球として払い出されるパチンコ玉を一時的に貯留し、ハンドル部５に導く上皿６と、該上皿６の下方に位置し、上皿６よりオーバーフローするパチンコ玉を一時的に貯留可能とする下皿７とがそれぞれ突設されている。
【００１５】
また、各々のパチンコ機２の上部には、適宜情報を表示可能とするディスプレイ部及び店員の呼出し等の適宜操作手段等を有する表示手段８と、遊技者の獲得した総玉数が記録されるカード又はレシート等の発券装置９が設けられている。尚、この発券装置９は、例えば遊技者固有の適宜情報記録媒体の差込み口を有し、該情報記録媒体に情報を記録出来る情報記録装置であってもよい。
【００１６】
さらに各々パチンコ機２の下方位置には、本発明のパチンコ玉の返却装置の玉受部としての玉受面１０（図２、３参照）を有する収納体１１が、パチンコ島台１の下部板３前面に対して出没自在に設けられている。また、図１の２３は、同じく下部板３に対して水平方向にスライド可能に設けられた載置台であり、遊技者の荷物や飲物等を載置できるようになっている。
【００１７】
前記収納体１１は、特に図２、３に示されるように上面が開口する箱体からなり、下部板３に形成された開口１２内に前後方向に摺動自在に嵌装されている。そしてこの収納体１１の内部には、後板１０ａと段違いに設けられた２枚の上・下部底板１０ｂ、１０ｃと前記箱体の内側面とから構成される玉受面１０が形成されている。また、この箱体前板１１ｂ上面には特に図４に示されるような操作部１８が形成されている。
【００１８】
前記玉受面１０の下部底板１０ｂ上面には、導電性を有し、かつ反発弾性が３％〜１０％の特性を有するゴムシート１３が敷設されており、後述するパチンコ機２の下皿５より落下するパチンコ玉が大きく跳びはねて外部にこぼれないようになっているとともに、前記ゴムシート１３は適宜箇所に接地されているため、パチンコ玉に蓄積された電荷を除去できるようになっている。
【００１９】
玉受面１０内に収容されるパチンコ玉は、前記上・下部底板１０ｂ、１０ｃとの隙間に形成される返却口１４を介して該玉受面１０下方に敷設されるガイドレール１５を通過し、収納体１１の後板１１ａに形成される排出口１６より外部に排出されるようになっている。また、前記ガイドレール１５途中には、玉計数器１７が配設されており、返却されるパチンコ玉の数がここで計数されるようになっている。
【００２０】
さらに、前記下部底部１０ｂの返却口１４近傍には、ガイドレール１５へのパチンコ玉の流出を阻止できる阻止手段としての係止爪を有する係止装置１９が設けられている。この係止装置１９は、収納体１１前板１１ｂの前面に設けられる操作ボタン２０と電気的または機械的に連結されており、該操作ボタン２０を操作することで、玉受面１０内でのパチンコ玉の貯留及び返却を自由に行えるようになっている。
【００２１】
また、前記下部底板１０ｂの下面の係止装置１９近傍には、パチンコ玉の検知センサ２１が設けられており、玉受面１０内に残留するパチンコ玉を検知できるようになっている。この検知センサ２１は、後述する制御装置２２に電気的に連結されている。
【００２２】
収納体１１の後部所定箇所には、制御装置２２からの信号に基づいて作動するモーター５０が固設されており、その先端に固着された歯車５１は水平板４下面前後方向に配設されたラック５２に噛合されている。よって収納体１１は前記モーター５０の駆動により下部板３に対して前後方向にスライド移動するようになっている。尚、前記モーター５０には歯車５１の回転数を計る適宜ロータリエンコーダが内蔵されている。
【００２３】
パチンコ機２の下皿５は、特に図４に示されるように、所定箇所にパチンコ機２内のパチンコ玉の流通路５３の流出口２４が開設されたパチンコ玉の貯留部２５と、適宜凹設された灰皿部２６とからなる。前記貯留部２５の底板部には、パチンコ玉を下方に排出するための排出口２７が開設されているとともに、該排出口２７を開閉可能とする開閉板２８が設けられている。この開閉板２８はバネ２９により常時前記排出口２７を閉塞するように付勢されており、前記開閉板２８の前端片２８ａの前面に突設される取手３０を図４中矢印方向にスライドさせることで、開放することができるようになっている。
【００２４】
また、前記流通路５３の流出口２４近傍所定箇所には、パチンコ玉を検知する検知センサ５４が設けられている。この検知センサ５４により、貯留部２５内にパチンコ玉が所定量貯留されたことを認識できるようになっている。
【００２５】
前記開閉板２８の前端片２８ａ近傍には、特に図２〜図４に示されるように、先端にロッド３１ａが伸縮自在に嵌挿された電磁アクチュエータ３１が固設されており、通常は前記ロッド３１ａが前端片２８ａの側辺に当接され、開閉板２８のスライド移動を規制するようになっている。この電磁アクチュエータ３１は前述したモーター５０と制御装置２２を介して電気的に連結されており、前記モーター５０の歯車５１が適宜回数回転したという情報信号がロータリエンコーダによって制御装置２２に送信されるとロッド３１ａが収縮されるようになっている。即ち収納体１１が図３に示されるような開放位置に到達した時にのみ、ロッド３１ａと前端片２８との係合が解除され、開閉板２８の開放が可能になる。この実施例では、電気的検知・駆動を採用しているが、適宜機械的な手段に代えて上記操作を行うようにしてもよい。また、ストロークを検知するリミットスイッチを利用することもできる。
【００２６】
前述した玉計数器１７、玉受面１０内のパチンコ玉を検知する検知センサ２１、下皿５の貯留部２５内のパチンコ玉を検知する検知センサ５４、電磁アクチュエータ３１、モーター５０は、図２、図３に示されるように全て制御装置２２に連結されている。この制御装置２２は、ホールコンピュータに接続され、各パチンコ機２のデータ等を管理する台管理装置５５に連結されているので、各パチンコ機２及びホストコンピュータから発信される種々の情報に基づいて前記各装置を制御できるようになっている。
【００２７】
このように構成された本発明のパチンコ玉の返却装置の使用方法及び作用を図２〜図４及び図５のフローチャート図に基づいて説明していくと、通常収納体１１は、図２に示されるようにパチンコ島台１の下部板３の内に収納されているので、遊技者の邪魔になること等がなく、遊技者に対してより広いスペースを提供出来るとともに、特に玉受面１０が不要な時においても少なくとも玉受面１０内が外部に露呈されることがないため、ゴミや飲物等が流入して玉計数器１７等の機器が破損されることがなく、また、いたずらや不正行為等が軽減される。
【００２８】
尚、このように、収納体１１が排出部２７の鉛直下方位置にない時は、下皿５の開閉板２８は電磁アクチュエータ３１により開閉が規制されているので、遊技者が貯留部２５内のパチンコ玉を排出して外部にこぼしてしまうといった誤操作が防止されるようになっている。
【００２９】
そして本実施の形態の玉受面１０においては、図５のフローチャート図に示されるように遊技者に例えば大当りが発生するといった特定の状態になった時点で（ＳＴＥＰ１）、台管理装置５５より制御装置２２に大当り発生の信号が送出され、モーター５０を作動させるように予め設定されている。よって大当り発生と同時に収納体１１は所定の位置、即ち排出部２７の下方まで自動的に開放される。また収納体１１が前記所定の位置に到達した時点で、前記電磁アクチュエータ３１のロッド３１ａが収縮し、開閉板２８の開閉が可能になる。
【００３０】
尚、前述のように予め設定された特定の状態となった時に、収納体１１が自動的に開放又は後述するような収納動作を行う際に、この動作開始を遊技者に対して知らしめる適宜警告手段、例えば音声、警告音、警告ランプ等の出力装置を、パチンコ機２又はその近傍に設けておくことが好ましい。こうすることで、遊技者が収納体１１の動作をより確実に認識できるため、安全性がより向上する。
【００３１】
こうして排出口２７が開放され、下皿５の排出部２７より排出されるパチンコ玉は、玉受面１０内の前記したゴムシート１３上に落下されるので、パチンコ玉が外部にこぼれることなく、確実に収容される。通常は係止装置１９により返却口１４のパチンコ玉の流通が阻止されているので、玉受面１０内にパチンコ玉を貯留してプレイすることも可能となっている。ここで、例えば遊技者がプレイを終了したい場合や、あるいはさらに大当り等が発生してパチンコ玉を返却したい場合には、操作ボタン２０を介して返却口１４を開放すればよい。返却されるパチンコ玉は図４に示されるように玉計数器１７を通過する際にカウントされた後、排出口１６、下部板３の傾斜面３ａを通過してパチンコ島台１内下部長手方向に配設される回収樋（図示略）等に返却されることになる。
【００３２】
前記玉計数器１７により計数された数値は各パチンコ機２の台管理装置５５等に記憶されるようになっている。よって例えば遊技者がプレイを終了し、図１に示される発券装置９の適宜スイッチを押せば、景品と交換するためのカード又はレシート等に記録されることになり、また、表示装置８等に数値を表示させることも出来る。なお、貯留玉の返却装置を設ければ、一度返却してしまったパチンコ玉をその記録された数値に基づいて再び遊技者に対して払い出すこと等も可能になる。
【００３３】
次に前述のように収納体１１が開放された状態にある時、図５中、ＳＴＥＰ２に示される発券装置９のカード又はレシート発券操作がなされた時、大当りが終了した時、遊技者がプレイを終了した時（例えばハンドル５より手をはなした時等）、又は図４に示される操作部１８の「ＣＬＯＳＥ」ボタンが押圧された時等において、これらの動作がなされたという情報信号が台管理装置５５に送出されると、制御装置２２はまず下皿５内の貯留部２５内にパチンコ玉が所定量以上あるかどうかを確認する。
【００３４】
ここでもしパチンコ玉があれば、収納体１１の開放状態を維持させ、なければ次に玉受面１０内の検知センサ２１を介して玉受面１０内にパチンコ玉があるかどうかを確認する。ここで、パチンコ玉があれば前述と同様に収納体１１の開放状態を維持し、なければ警告手段を作動させ、モーター５０を駆動させる。
【００３５】
このようにこれらの確認操作を行った上で、収納体１１を自動的に収納させるようになっているため、ＳＴＥＰ２におけるある特定の動作がなされた時にあっても、例えば玉受面１０内に残留しているパチンコ玉があるのに収納体１１が妄りに収納されてしまうといったこと等がない。
【００３６】
このように開放・収納動作を適宜電動装置を用いて自動的に作動させる場合、例えば前記モーター５０に、モーターにかかる負荷値を検出する検出器を設置しておき、開放・収納動作時において収納体１１が何らかの障害物に当たった場合等、モーター５０に所定値以上の負荷がかかることで、一時的にモーター５０の作動を停止したり、その時点で逆動作をさせるようにしておけば、遊技者の事故を防止することが出来る。
【００３７】
このように本発明の実施の形態におけるパチンコ玉の返却装置にあっては、パチンコ島台内に出没可能に設けられている玉受皿が、大当り発生時等の予め設定された特定の状態に伴って送出される情報信号に基づいて自動的に開放若しくは収納されるように制御されているため、玉受皿の管理等を店側で行えるようになるため、不正行為等を防止しやすくなる。また、遊技者による誤動作を防止でき、パチンコ機より払い出されるパチンコ玉をより確実にパチンコ島台内に返却することが可能となる。
【００３８】
また、図５におけるＳＴＥＰ１及びＳＴＥＰ２の予め設定される特定の状態は、前述したものに限られるものでなく、種々の状態を設定することが可能である。例えばＳＴＥＰ１における状態は、大当り発生の他に下皿５のパチンコ玉検知センサ５４の作動であってもよく、ＳＴＥＰ２における状態は前述した状態以外に打ち止め等であってもよい。
【００３９】
次に図６〜９には、本発明の他の実施の形態が示されている。まず、図６、図７に示される収納体１１は、断面略Ｌ字形に形成されてなるものであって、かつ図６に示される収納状態から図７に示される開放状態になるまでの動作が、一旦前方に引出された後、Ｌ字形のラック５２によりさらに上昇されるようになっている。
【００４０】
このように前方に引出された後に上昇移動させることで、パチンコ機２の下部に設けられる玉受面１０の上端と下皿５の下端との距離Ｌが縮まるため、下皿から排出されるパチンコ玉が飛び散ることを防止出来る。よって前述の実施の形態にて使用されていた低反発性のゴムシート等を敷設することが不要となる。また５６は収納体１１の上昇時にその下部に露呈される開口を覆う覆い板である。
【００４１】
図８、図９に示される収納体１１は、開放時に略斜め上方向にスライド移動されるようになっているものである。このようにすることで、前述の実施形態と同様に開放時において下皿５下端と玉受皿上端との距離がより接近するようになるとともに、直線移動のみです早く開放させることができる。また、図９に示されるように開放時において収納体１１下方のスペースをより広く設けることができる。
【００４２】
尚、５８は収納時において開口を覆うスライド式の覆い板であり、５７は収納時において下端の軸を中心に回動され、玉受面１０後方とパチンコ機２下部前面との間を塞ぐスペーサである。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
【発明の効果】
本発明によれば、次のような効果が得られる。
【００４５】
（ａ）請求項１の発明によれば、予め定められた計数条件が成立していないときは玉受部がパチンコ島台内に収納されているため、玉受部の管理等を店側で行え、さらに不正行為等を防止し易くなる。また、予め定められた計数条件が成立する（例えば、多量のパチンコ玉の払出が予想される場合や、玉受皿が満される場合等）と、パチンコ島台内に出没可能に設けられている玉受部が上昇位置まで移動されるため、玉箱を別途用意する必要がなく、遊技者は安心してパチンコ機より払い出されるパチンコ玉を貯留もしくはパチンコ島台内に返却することが可能となる。
【００４６】
（ｂ）請求項２の発明によれば、店員は特賞状態の発生時に玉箱を急いで用意する等の作業を省略でき、また遊技者は安心して遊技に集中できる。
【００４７】
（ｃ）請求項３の発明によれば、例えばパチンコ機に特賞状態が発生していない時においても玉受皿内のパチンコ玉を排出することが可能となるため、特賞状態等の状況に予め備えることができるとともに、下皿のパチンコ玉を排出することでプレーの中断を防止できる。
【００４９】
（ｄ）請求項４の発明によれば、遊技者が不用意に玉受部に指を挟まれる等の事故を防止することが出来る。
【００５０】
（ｅ）請求項５の発明によれば、遊技者に対して玉受部の移動が行われることを警告できるため、より効果的に不用意な事故を防止できる。
【００５１】
【図面の簡単な説明】
【図１】本発明が適用されるパチンコ島台の要部の斜視図である。
【図２】図１のＡ−Ａ断面図である。
【図３】図２に対応する作用を示す断面図である。
【図４】図３のＢ−Ｂ断面図である。
【図５】本発明の一連の作動状態を示すフローチャート図である。
【図６】本発明の他の実施形態を示す概略側面図である。
【図７】図６に対応する作用を示す概略側面図である。
【図８】本発明のさらに他の実施形態を示す概略側面図である。
【図９】図８に対応する作用を示す概略側面図である。
【符号の説明】
１            パチンコ島台
２            パチンコ機
３            下部板
３ａ          傾斜面
４            水平板
５            ハンドル
６            上皿（玉受皿）
７            下皿（玉受皿）
８            表示装置
９            発券装置
１０            玉受面（玉受部）
１０ａ、１１ａ  後板
１０ｂ          下部底板
１０ｃ          上部底板
１１            収納体
１１ｂ          前板
１２            開口
１３            ゴムシート（低反発部材）
１４            返却口
１５            ガイドレール
１６            排出口
１７            玉計数器
１８            操作部
１９            係止装置
２０            操作ボタン
２１            検知センサ
２２            制御装置
２３            載置台
２４            流出口
２５            貯留部
２６            灰皿部
２７            排出口（排出部）
２８            開閉板
２８ａ          前端辺
２９            バネ
３０            取手
３１            電磁アクチュエータ
３１ａ          ロッド
５０            モーター
５１            歯車
５２            ラック
５３            流通路
５４            検知センサ
５５            台管理装置
５６、５８      覆い板
５７            スペーサ
【図１】
0004066099.tif 000002
【図２】
0004066099.tif 000003
【図３】
0004066099.tif 000004
【図４】
0004066099.tif 000005
【図５】
0004066099.tif 000006
【図６】
0004066099.tif 000007
【図７】
0004066099.tif 000008
【図８】
0004066099.tif 000009
【図９】
0004066099.tif 000010